(57)【要約】【課題】  本発明は、身体に簡単に取り付けることができるとともに、使用者の身体の大きさに合わせた取り付け状態を得ることができる両手が自由になる傘を得るにある。【解決手段】  中棒を有する傘本体と、この傘本体の中棒の下端部に高さ調節機構を介して着脱可能に取り付けられた、人の下腹部位に固定状態となるように取り付けることができる板状の支持具とで傘を構成している。【選択図】  図１
2005224362.tif 000002
【特許請求の範囲】
【請求項１】
中棒を有する傘本体と、この傘本体の中棒の下端部に高さ調節機構を介して着脱可能に取り付けられた、人の下腹部位に固定状態となるように取り付けることができる板状の支持具とからなることを特徴とする傘。
【請求項２】
中棒を有する傘本体と、この傘本体の中棒の下端部に高さ調節機構を介して着脱可能に取り付けられた、人の下腹部位に、ズボン等の着衣の間に差し込んで固定状態となるように取り付けることができる板状の支持具とからなることを特徴とする傘。
【請求項３】
中棒を有する傘本体と、この傘本体の中棒の下端部に高さ調節機構を介して着脱可能に取り付けられた、任意に曲げることができるとともに、曲げた状態が保持されることができる支持アームと、この支持アームが固定された、人の下腹部位に固定状態となるように取り付けることができる板状の支持具とからなることを特徴とする傘。
【請求項４】
中棒を有する傘本体と、この傘本体の中棒の下端部に高さ調節機構を介して着脱可能に取り付けられた、人の下腹部位に固定状態となるように取り付けることができる支持具とからなることを特徴とする傘。
【発明の詳細な説明】
【技術分野】
【０００１】
本発明は両手が自由に使える傘に関する。
【背景技術】
【０００２】
従来、既製の傘を身体の腰の部分と首の部分とで支持するように取り付けることにより、両手を自由な状態にすることができる傘保持具が提案されている。
【０００３】
【特許文献１】登録実用新案第３０２５５１５号
【０００４】
従来の傘保持具は、傘を身体の腰の部分と首の部分とで支持するように取り付けるため、取り付けが面倒であるとともに、取り付ける傘は市販のものであるため、傘を取り付ける人の体のサイズが合わないと、視界の前方が傘で覆われてしまったり、必要以上に頭部の上方に傘が位置されて雨が避けきれない等、適切な使用状態が得られないという欠点があった。
【発明の開示】
【発明が解決しようとする課題】
【０００５】
本発明は以上のような従来の欠点に鑑み、身体に簡単に取り付けることができるとともに、使用者の身体の大きさに合わせた取り付け状態を得ることができる両手が自由になる傘を提供することを目的としている。
【０００６】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００７】
上記目的を達成するために、本発明は、中棒を有する傘本体と、この傘本体の中棒の下端部に高さ調節機構を介して着脱可能に取り付けられた、人の下腹部位に固定状態となるように取り付けることができる板状の支持具とで傘を構成している。
【発明の効果】
【０００８】
以下の説明から明らかなように、本発明にあっては次に列挙する効果が得られる。
【０００９】
（１）中棒を有する傘本体と、この傘本体の中棒の下端部に高さ調節機構を介して着脱可能に取り付けられた、人の下腹部位に固定状態となるように取り付けることができる板状の支持具とで構成されているので、身体の下腹部位に取り付けるだけで両手を自由に使うことができる。
【００１０】
（２）前記（１）によって、高さ調節機構により、身体のサイズに合わせて高さ調節をして取り付けることができるので、視界が遮られる等の取り付け状態の不具合を確実に回避することができる。
【００１１】
（３）前記（１）によって、身体への取り付けは、下腹部位のみで行うので、取扱いが簡易で誰もが気軽に用いることができる。
【００１２】
（４）前記（１）によって、構造が簡易なので、容易に実施することができる。
【００１３】
（５）請求項２も前記（１）〜（４）と同様の効果が得られるとともに、板状の支持具をズボン等の着衣の間に差し込んで取り付けるので、取り付け状態において支持板が目立たず、見た目が仰々しくならないので、気楽に用いることができる。
【００１４】
（６）請求項３も前記（１）〜（４）と同様の効果が得られるとともに、支持アームを任意に曲げて、曲げた状態を保持することができるので、傘本体の立設角度を適宜変えて用いることができる。
【発明を実施するための最良の形態】
【００１５】
以下、図面に示す本発明を実施するための最良の形態により、本発明を詳細に説明する。
【００１６】
図１ないし図１０に示す本発明を実施するための最良の第１の形態において、１は、両手を自由に使うことができる本発明の傘で、この傘１は、中棒２を有する傘本体３と、この傘本体３の中棒２の下端部に高さ調節機構４を介して着脱可能に取り付けられた、任意に曲げることができるとともに、曲げた状態が保持されることができる支持アーム５と、この支持アーム５を固定した、人の下腹部位に固定状態となるように取り付けることができる板状の支持具６とで構成されている。
【００１７】
前記傘本体３は、布、ビニール等で形成された傘部材７と、この傘部材７を取り付けた複数本の骨材８と、この複数本の骨材８が開閉可能に枢支された上ろくろ９と、この上ろくろ９が取り付けられた中棒２と、この中棒２に上下方向にスライド移動可能に取り付けられた下ろくろ１０と、この下ろくろ１０および前記複数本の骨材８にそれぞれ枢支された受け骨材１１と、前記中棒２の上下部に取り付けられたストッパー片１２、１２とで構成されている。
この傘本体３は、柄を取り付けた既製の傘と同様の開閉状態となる。
【００１８】
前記高さ調節機構４は、前記傘本体３の中棒２の下端部および下端部寄りの部位に形成された高さ調節用のネジ溝１３と、このネジ溝１３と螺合するネジ溝１４が内壁面に形成された高さ調節穴１５を上部に備えたベース体１６とで構成されている。
【００１９】
前記支持アーム５は、任意に曲げることができるとともに、曲げた状態が保持されることができる、例えばフレキシブルパイプで形成され、上端に前記高さ調節機構４のベース体１６に形成された取り付け穴１７に挿入される固定部１８が形成されている。また、この支持アーム５は、後端部および後端部寄りの部位が後述する支持具６に埋設された状態で取り付けられ、固定ビス１９によって固定されている。
【００２０】
前記支持具６は、図４ないし図７に示すように、前記支持アーム５の後端部および後端部寄りの前方部を覆い固定ビス１９で固定する、プラスチック、木等で形成された左右に開口部２０、２０を形成した板状のベース部材２１と、このベース部材２１の背面に、前記支持アーム５の後端部および後端部寄りの後方部を覆った状態で接着剤等で固定されたスポンジ材等で形成されたクッション材２２と、前記ベース部材２１の上方両側部に取り付けられた、ズボン等の着衣の間（図示上２４ａ、２４ｂの間）に差し込んだ際に、ズボンの縁部等に掛止される左右の掛止片２３、２３とで構成されている。なお、左右の掛止片２３、２３は、バネ部材を用いた挟着片で構成してもよく、この場合は、ズボンの縁部等に該挟着片で挟みつけて固定する。
【００２１】
上記構成の傘１は、使用する場合は、図８に示すように、支持具６を、クッション材２２が人２４の下腹部側にくるようにして下部側をズボン等の着衣の間に差し込み、左右の掛止片２３、２３をズボン等の縁部に掛止させて取り付ける。この場合、若干下腹部をへこませた状態で支持具６を差し込み、差し込みが完了したら再び下腹部を元の状態にすることで、支持具６が圧着されて固定状態となる。この時、支持アーム５の略固定部１８を除く部位もズボン等の着衣の間に差し込まれた状態となり固定状態となる。
また、ズボンのベルトを緩めた状態で支持具６を差し込んで再びベルトを締め付けて固定してもよい。なお、支持具６に形成された左右の掛止片２３、２３は、ズボン等の縁部に掛止されることにより、左右の傾きを防止するように作用する。
【００２２】
この支持具６の取り付けの前後には、傘本体３の中棒２の下端部に、高さ調節機構４のベース体１６を取り付けておく。
【００２３】
次に、図９に示すように、高さ調節機構４のベース体１６が取り付けられた傘本体３を前記支持具６に取り付ける。この取り付けは、ベース体１６の取り付け穴１７に支持アーム５の固定部１８を差し込んで行う。
また、この場合、支持アーム５を適宜曲げることにより、傘本体３の立設角度を調節することができるので適切な取り付け状態にすることができる。
なお、この取り付け作業を行う前後に、高さ調節機構４のベース体１６を回転させて適正な長さ寸法となるように調節する。
【００２４】
このようにして、支持具６を下腹部位に固定状態で取り付けて、傘本体３を取り付けることにより、両手が自由に使える傘１となる。
【００２５】
また、この状態で傘１を使用しない場合、例えば、建物内で買い物をする場合は、傘本体３を外すだけでよいので、取扱いに労せずに用いることができる。
{発明を実施するための異なる形態}
【００２６】
次に、図１１ないし図１９に示す本発明を実施するための異なる形態につき説明する。なお、これらの本発明を実施するための異なる形態の説明に当って、前記本発明を実施するための最良の第１の形態と同一構成部分には同一符号を付して重複する説明を省略する。
【００２７】
図１１および図１２に示す本発明を実施するための第２の形態において、前記本発明を実施するための最良の第１の形態と主に異なる点は、左右の掛止片２３、２３を用いないベース部材２１Ａを用いるとともに、このベース部材２１Ａの両側部に人２４の下腹部に回して取り付けることができる固定用バンド２５を取り付けた点で、このようなベース部材２１Ａおよび固定バンド２５を備えた支持具６Ａを構成した傘１Ａにしても前記本発明を実施するための最良の第１の形態と同様の作用効果が得られる。なお、本形態において、支持具６Ａの形態は、板状のものに限らず、例えば、ブロック状にする等、適宜形態を選択して構成してもよい。
【００２８】
図１３および図１４に示す本発明を実施するための第３の形態において、前記本発明を実施するための最良の第１の形態と主に異なる点は、支持アーム５Ａの先端部に形成された高さ調節用のネジ溝１３Ａと、このネジ溝１３Ａと螺合するネジ溝１４Ａが内壁面に形成された高さ調節穴１５Ａを下部に備えたベース体１６Ａとからなる高さ調節機構４Ａを用いた点で、このような高さ調節機構４Ａを構成した傘１Ｂにしても前記本発明を実施するための最良の第１の形態と同様の作用効果が得られる。
【００２９】
図１５ないし図１７に示す本発明を実施するための第４の形態において、前記本発明を実施するための最良の第１の形態と主に異なる点は、ズボン等の縁部に掛止させることができる掛止用凸部２６を上端両側部にそれぞれ一体形成したベース部材２１Ｂを用いた点で、このように形成されたベース部材２１Ｂを備えた支持具６Ｂを構成した傘１Ｃにしても前記本発明を実施するための最良の第１の形態と同様の作用効果が得られる。
【００３０】
図１８および図１９に示す本発明を実施するための第５の形態において、前記本発明を実施するための最良の第１の形態と主に異なる点は、中棒２の下端部に該中棒２を上下にスライド移動させることができる、上端部に締め付け固定用ハンドル２７が取り付けられた筒状のベース体１６Ｂを取り付けた点で、このようなベース体１６Ｂを用いた高さ調節機構４Ｂを構成した傘１Ｄにしても前記本発明を実施するための最良の第１の形態と同様の作用効果が得られる。
【００３１】
なお、本発明を実施するための各形態において、支持アーム５は、フレキシブルパイプで形成されたものについて説明したが、本発明はこれに限らず、任意に曲げることができるとともに、曲げた状態が保持されることができるものであれば、例えば、電気スタンド等のアームとして用いられるものを用いて構成してもよい。
【００３２】
また、本発明を実施するための各形態において、支持アーム５は適宜曲げることが可能なものについて説明したが、本発明はこれに限らず、予め前方等に曲げ加工された固定的なものを用いてもよい。なお、この場合は、誰もが平均して適切な傘本体３の取り付け状態となるような形状、サイズに成形する。
【産業上の利用可能性】
【００３３】
本発明は傘を製造する産業で利用される。
【図面の簡単な説明】
【００３４】
【図１】本発明を実施するための最良の第１の形態の正面図。
【図２】本発明を実施するための最良の第１の形態の側面図。
【図３】本発明を実施するための最良の第１の形態の高さ調節機構の説明図。
【図４】本発明を実施するための最良の第１の形態の支持具の正面図。
【図５】本発明を実施するための最良の第１の形態の支持具の背面図。
【図６】本発明を実施するための最良の第１の形態の支持具の側面図。
【図７】図４の７−７線に沿う断面図。
【図８】支持具の取り付け状態の説明図。
【図９】傘本体を取り付けた状態の説明図。
【図１０】支持具を取り付けた状態の要部拡大断面図。
【図１１】本発明を実施するための第２の形態の正面図。
【図１２】本発明を実施するための第２の形態の支持具の正面図。
【図１３】本発明を実施するための第３の形態の正面図。
【図１４】本発明を実施するための第３の形態の高さ調節機構の説明図。
【図１５】本発明を実施するための第４の形態の正面図。
【図１６】本発明を実施するための第４の形態の支持具の正面図。
【図１７】本発明を実施するための第４の形態の支持具の側面図。
【図１８】本発明を実施するための第５の形態の正面図。
【図１９】本発明を実施するための第５の形態の高さ調節機構の説明図。
【符号の説明】
【００３５】
１、１Ａ〜１Ｄ：傘、        ２、２Ａ：中棒、
３：傘本体、                ４、４Ａ：高さ調節機構、
５、５Ａ：支持アーム、      ６、６Ａ、６Ｂ：支持具、
７：傘部材、                ８：骨材、
９：上ろくろ、              １０：下ろくろ、
１１：受け骨材、            １２：ストッパー片、
１３、１３Ａ：ネジ溝、      １４、１４Ａ：ネジ溝、
１５、１５Ａ：高さ調節穴、  １６、１６Ａ、１６Ｂ：ベース体、
１７：取り付け穴、          １８：固定部、
１９：固定ビス、            ２０：開口部、
２１、２１Ａ、２１Ｂ：ベース部材、
２２：クッション材、        ２３：掛止片、
２４：人、                  ２５：固定用バンド、
２６：掛止用凸部、          ２７：締め付け固定用ハンドル。
【図１】
2005224362.tif 000003
【図２】
2005224362.tif 000004
【図３】
2005224362.tif 000005
【図４】
2005224362.tif 000006
【図５】
2005224362.tif 000007
【図６】
2005224362.tif 000008
【図７】
2005224362.tif 000009
【図８】
2005224362.tif 000010
【図９】
2005224362.tif 000011
【図１０】
2005224362.tif 000012
【図１１】
2005224362.tif 000013
【図１２】
2005224362.tif 000014
【図１３】
2005224362.tif 000015
【図１４】
2005224362.tif 000016
【図１５】
2005224362.tif 000017
【図１６】
2005224362.tif 000018
【図１７】
2005224362.tif 000019
【図１８】
2005224362.tif 000020
【図１９】
2005224362.tif 000021